(57)【要約】【課題】吸水性，断熱性及び耐候性に優れるとともに、作業性に優れたコンクリート養生保温マットを提供することを課題とする。【解決手段】半硬質ウレタンからなる独立気泡でかつ平面形状が四角のシート状発泡体１ａ，１ｂ，１ｃと、このシート状発泡体１ａ，１ｂ，１ｃを包み込む，平面形状が前記該発泡体より大きな防水布２ａ，２ｂ，２ｃとを具備し、前記発泡体１ａ，１ｂ，１ｃの四辺から外側に延出する防水布２ａ，２ｂ，２ｃ同士を溶着処理して発泡体内への水の浸入を防いだ構造にしたことを特徴とするコンクリート養生保温マット。【選択図】図１
0003150139.tif 000002
【実用新案登録請求の範囲】
【請求項１】
半硬質ウレタンからなる独立気泡でかつ平面形状が四角のシート状発泡体と、このシート状発泡体を包み込む，平面形状が前記該発泡体より大きな防水布とを具備し、前記発泡体の四辺から外側に延出する防水布同士を溶着処理して発泡体内への水の浸入を防いだ構造にしたことを特徴とするコンクリート養生保温マット。
【請求項２】
前記シート状発泡体を防水布で包み込んだ，溶着処理したコンクリート養生保温マット単体同士を、複数個、前記防水布の発泡体より外側に延出する部分が互いに重なるように配置し、重なった防水布部分同士をミシン縫いしたことを特徴とする請求項１記載のコンクリート養生保温マット。
【請求項３】
前記コンクリート養生保温マット単体同士の隣り合う防水布の発泡体より外側に延出する部分を、互いに左右対称のＬ字型となるように重ねて隣接させ、重なった防水布部分同士をミシン縫いし、複数個のコンクリート養生保温マット単体が折り畳み可能な構成にしたことを特徴とする請求項２記載のコンクリート養生保温マット。
【考案の詳細な説明】
【技術分野】
【０００１】
本考案はコンクリート養生保温マットに関し、特にダムやビルなどの構造物を建設する際に使用されるコンクリートを養生する為に使用されるコンクリート養生保温マットに係る。
【背景技術】
【０００２】
周知の如く、ダムやビルなどの構造物を建設する際に用いるコンクリートは、セメントの水和反応の進行により硬化し、強度が発現、増進していく。しかし、凝結の時期や硬化の初期に著しい乾燥や凍結による被害を受けると、コンクリートの強度は増進しなくなったり、ひび割れや表面剥離が生じたりする。また、初期の凍結による被害が深いと融解時期に崩壊することがある。
【０００３】
こうしたことから、従来、コンクリートの施工では、高品質を目的として打ち込み時のコンクリートの温度を例えば５〜２０℃以上にする加熱保温養生することが行われている。こうした加熱保温養生により、気温の低い時期における温度勾配に起因するひび割れの低減、あるいは低温による強度発現の遅れの防止を図っている。具体的には、コンクリート施工後に、断熱マットや布、むしろなどをかけるなどの対策が採用されている。あるいは、不織布やウレタンフォームによるシートをかけるなどの対策が採用されている。
【０００４】
コンクリート養生マットの具体例としては、例えば特許文献１が知られている。特許文献１には、断熱部材と、この断熱部材を被包する防水性シート部材を具備し、巻取り変形可能な構成にしたコンクリート養生マットについて開示されている。
【先行技術文献】
【特許文献】
【０００５】
【特許文献１】特開平６−１２９０９５号公報
【考案の概要】
【考案が解決しようとする課題】
【０００６】
しかしながら、従来の養生マットでは、吸水性が大きかったり、断熱性に劣り十分な保温効果が得られなかったり、あるいは耐候性に劣るなどの問題があった。  
本考案はこうした事情を考慮してなされたもので、吸水性，断熱性及び耐候性に優れるとともに、作業性に優れたコンクリート養生保温マットを提供することを目的とする。
【課題を解決するための手段】
【０００７】
本考案に係るコンクリート養生保温マットは、半硬質ウレタンからなる独立気泡でかつ平面形状が四角のシート状発泡体と、このシート状発泡体を包み込む，平面形状が前記該発泡体より大きな防水布とを具備し、前記発泡体の四辺から外側に延出する防水布同士を溶着処理して発泡体内への水の浸入を防いだ構造にしたことを特徴とする。
【考案の効果】
【０００８】
本考案によれば、吸水性，断熱性及び耐候性に優れるとともに、作業性に優れたコンクリート養生保温マットを提供できる。
【図面の簡単な説明】
【０００９】
【図１】図１は、本考案の一実施例に係るコンクリート養生保温マットの説明図を示す。
【図２】図２は、図１のＸ−Ｘ線に沿う断面図を示す。
【図３】図３は、図１のＹ−Ｙ線に沿う断面図を示す。
【図４】図４は、図１のコンクリート養生保温マットを折り畳んだ状態を示す説明図である。
【考案を実施するための形態】
【００１０】
以下、本考案について更に詳しく説明する。  
次に、本考案のコンクリート養生保温マットについて図面を参照して説明する。なお、本実施形態は下記に述べることに限定されない。  
（実施例）  
図１〜図３は、本考案に係るコンクリート養生保温マットの一例を示す。ここで、図１は同マットの平面図、図２は図１のＸ−Ｘ線に沿う断面図、図３は図１のＹ−Ｙ線に沿う断面図を示す。但し、図２、図３では要部を便宜上拡大して図示している。
【００１１】
図中の符番１ａ，１ｂ，１ｃは、半硬質ウレタンからなる独立気泡のシート状発泡体（東レ（株）の商品名：東レペフ）を示す。各発泡体の平面形状は矩形状でその厚みは例えば１０ｍｍである。これらのシート発泡体１ａ，１ｂ，１ｃは、夫々防水布（ターポリン）２ａ，２ｂ，２ｃにより該発泡体の四辺から外側に延出するように包み込まれている。ここで、防水布は、フィラメント（長繊維）を使用した織物（ポリエステル）に高分子樹脂（ポリウレタン系）フィルムを積層したものである。発泡体１ａ，１ｂ，１ｃの四辺から外側に延出した防水布２ａ，２ｂ，２ｃは、溶着処理されて個々のマット単体３ａ，３ｂ，３ｃを構成している。ここで、溶着条件は、定格電圧２００Ｖ，定格電流３８．５Ａ，定格高周波出力７．４ｋＷである。なお、溶着は、各発泡体１ａ，１ｂ，１ｃの上下に該発泡体より平面形状が大きな防水布２ａ，２ｂ，２ｃを配置した後、発泡体の外側に延出する上下の防水布同士を上記溶着条件で溶着することによって行われる。図中の符番４は、溶着処理された溶着部を示す。マット単体３ａ，３ｂ，３ｃは、隣り合う片で重なり、重なったはみ出し部分は図３に示すようにミシン糸５によりミシン縫いされている。
【００１２】
上記実施例によれば、半硬質ウレタンからなる独立気泡のシート状発泡体１ａ，１ｂ，１ｃが夫々防水布２ａ，２ｂ，２ｃで被覆され、各発泡体から外側に延出した防水布２ａ，２ｂ，２ｃの四辺が溶着処理された構成になっているので、従来と比べ、断熱性に優れるとともに、吸水性が小さく浮揚力が大きく、かつ耐候性に優れた保温養生マットが得られる。
【００１３】
また、コンクリート養生保温マット単体同士の隣り合う防水布２ａ，２ｂ間、防水布２ｂ，２ｃの延出部分同士を、図３に示すように互いに左右対称のＬ字型となるように重ねて隣接させ、重なった延出部分同士をミシン糸５によりミシン縫いした処理した構成になっているので、複数個のマット単体３ａ，３ｂ，３ｃを該マット単体の並び方向に沿って折り畳むことができる。従って、図４に示すように折り畳んだ状態で積み重ねたり、あるいは搬送することができるので、作業性を向上することができる。特に、シート状発泡体１ａ，１ｂ，１ｃが半硬質ウレタンからなるので、持ちやすく、運搬作業がし易い。
【００１４】
なお、本考案は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。具体的には、上記実施例では、３つのマット単体からなる養生保温マットの場合について述べたが、１つ、あるいは２つ、あるいは４つ以上の養生保温マット単体からなる場合でもよい。また、上記実施例では、シート状発泡体のコーナー部が垂直である場合について述べたが、これに限らず、例えば少し丸みを帯びた形状にしてもよい。更に、発泡体の厚みも上記実施例に記載したものに限定されない。
【符号の説明】
【００１５】
１ａ，１ｂ，１ｃ…シート状発泡体、２ａ，２ｂ，２ｃ…防水布、３ａ，３ｂ，３ｃ…マット単体、４…溶着部、５…ミシン糸。
【図１】
0003150139.tif 000003
【図２】
0003150139.tif 000004
【図３】
0003150139.tif 000005
【図４】
0003150139.tif 000006